(57)【要約】【課題】            器具本体からリセットスイッチを露出させているとき、ランプを清掃する際などにユーザーが誤ってリセットスイッチを押してしまう恐れがあった。  また、器具本体からリセットスイッチが露出しているので、リセットスイッチを備えていない器具本体と比して意匠性が劣っていた。【解決手段】        ランプ６の調光度を調整する照明器具１において、断面形状がほぼコの字状に形成される灯具２ｂと、前記灯具２ｂの側壁との間に隙間を隔てて取付けられ、前記ランプ６が発光する光を反射する反射板１２と、前記灯具２ｂに取付けられ、前記灯具２ｂの側壁と前記反射板１２との隙間から操作可能な位置に取付けられるスイッチ１８と、を備え、ユーザーが誤ってスイッチ１８を押すことがなく、かつ、スイッチ１８の操作性の優れた照明器具１を提供できる。【選択図】          図９
2008210562.tif 000002
【特許請求の範囲】
【請求項１】
ランプの調光度を調整する照明器具において、
断面形状がほぼコの字状に形成される灯具と、
前記灯具の側壁との間に隙間を隔てて取付けられ、前記ランプが発光する光を反射する反射板と、
前記灯具に取付けられ、前記灯具の側壁と前記反射板との隙間から操作可能な位置に取付けられるスイッチと、
を備えることを特徴とする照明器具。
【請求項２】
灯具の側壁と反射板との隙間の距離Ｗ１を有し、
前記反射板の短手方向端部を延長するときの前記灯具の側壁の位置と、スイッチ取付台座の端部との距離Ｗ２、
前記反射板の短手方向端部を延長するときの前記灯具の側壁の位置と、ランプの側端部と前記反射板の端部とを結ぶ線を延長したときに側壁に当たる部分との距離Ｗ３、
とするとき、Ｗ２≧Ｗ３となる位置にスイッチを有するスイッチ取付台座を配置することを特徴とする請求項１に記載の照明器具。
【請求項３】
前記スイッチはプッシュスイッチとすることを特徴とする請求項１または請求項２に記載の照明器具。
【請求項４】
前記プッシュスイッチのスイッチを押す方向が、前記灯具の長手方向とすることを特徴とする請求項３に記載の照明器具。
【請求項５】
前記照明器具の開口面において、前記反射板と、前記スイッチの色をほぼ同色とすることを特徴とする請求項１〜請求項４のいずれかに記載の照明器具。
【請求項６】
時間を計時するタイマを有し、
前記タイマの計時する時間に対して徐々に前記ランプに供給する電力が大きくなるように制御する初期照度補正ユニットを備え、
前記スイッチを押すことにより前記タイマの計時した時間をリセットすることを特徴とする請求項１〜５のいずれかに記載の照明器具。
【発明の詳細な説明】
【技術分野】
【０００１】
本発明は、スイッチを照明器具などの筐体に取り付ける構造に関する。
【背景技術】
【０００２】
反射板の表面から操作部を露出させた状態で、リセットスイッチを器具本体に取り付けており、器具本体の内部に収納された放電灯点灯装置の器体とリセットスイッチとは電線を介して電気的に接続される。このようにリセットスイッチを反射板の表面に取り付けているので、器具本体の外部からリセットスイッチを操作することができ、リセット操作を容易に行える。また、器具本体の外部から操作可能な器具本体の側面、ランプソケット表面に取り付ける技術が、例えば特許文献１に開示されている。
【０００３】
また、リセット手段として器具本体には安定器のリセット信号入力部と電気的に接続されているリセットスイッチが取り付けられ、反射板に形成した孔より突出している。ランプ交換時には、このリセットスイッチを所定時間長押しすることにより点灯時間タイマがリセットされる。このリセットスイッチを器具中心すなわちランプの長手方向中心よりも固定ソケット側に配置する技術が、例えば特許文献２に開示されている。
【０００４】
【特許文献１】特開２００１−３３８７８３号（段落「００７５」２行目〜１５行目）
【０００５】
【特許文献２】特開２００６−２１０２４８号（段落「００２７」３行目〜７行目）
【発明の開示】
【発明が解決しようとする課題】
【０００６】
器具本体からリセットスイッチを露出させているとき、ランプを清掃する際などにユーザーが誤ってリセットスイッチを押してしまう恐れがあった。
【０００７】
また、器具本体からリセットスイッチが露出しているので、リセットスイッチを備えていない器具本体と比して意匠性が劣っていた。
【課題を解決するための手段】
【０００８】
ランプの調光度を調整する照明器具において、断面形状がほぼコの字状に形成される灯具と、前記灯具の側壁との間に隙間を隔てて取付けられ、前記ランプが発光する光を反射する反射板と、前記灯具に取付けられ、前記灯具の側壁と前記反射板との隙間から操作可能な位置に取付けられるスイッチと、を備える。
【発明の効果】
【０００９】
ユーザーが誤ってスイッチを押すことがなく、かつ、スイッチの操作性及び意匠性の優れた照明器具を提供できる。
【発明を実施するための最良の形態】
【００１０】
実施の形態１．
実施の形態１について図１〜図９を用いて説明する。
【００１１】
図１は、この実施の形態における照明器具を示す斜視図であり、図２は、図１の照明器具を下面から見たときの状態を示す下面図であり、図３は、図１の照明器具を上面から見たときの状態を示す上面図であり、図４は、図１の照明器具を側面から見たときの状態を示す側面図である。
【００１２】
照明器具１は、２つの灯具２ａ、２ｂと、この２つの灯具２ａ、２ｂの端部に取り付けられ、互いに平行となるように接続する２本のフレーム３（連結部）からなっている。
【００１３】
このフレーム３には電源線を接続するための電源端子台４と、天井部材５に取り付ける天井取付金具６を備えている。
【００１４】
灯具２ａ、２ｂには、ランプ７と、ランプ７を装着し電気的に接続するランプソケット８と、ランプ７を保持するランプホルダ９を備えている。
【００１５】
また、灯具２ａと灯具２ｂの間には設備プレート１０が着脱可能に取付けられるようになっており、ユーザーの用途によって、センサなどを備えた設備プレート１０に変えることが可能となっている。
【００１６】
図５は、図１の照明器具の分解斜視図であり、図６は、図２の反射板を取り外したときに照明器具を下面から見たときの状態を示す下面図である。
【００１７】
一方の灯具２ａは、下面側が開口するように断面がコの字状となっており、天井側の天面１１ａと、コの字状に形成された短手方向の側壁１２ａと、長手方向の端部の端面１３ａからなっている。
【００１８】
この天井側の天面１１ａにはランプ７を点灯させる点灯装置１４と、断面形状がπ字状の反射板取付台座１５を介してランプ７の光を反射する反射板１６を備えている。
【００１９】
反射板１６は、ネジ１７が取付穴１８に挿入され、反射板取付台座１５の固定穴１９にネジ止めされる。
【００２０】
また、反射板取付台座１５には、ランプソケット８が取り付けられている。
【００２１】
他方の灯具２ｂは、下面側が開口するように断面がコの字状となっており、天井側の天面１１ｂと、コの字状に形成された短手方向の側壁１２ｂと、長手方向の端部の端面１３ｂからなっている。
【００２２】
この天井側の天面１１ｂにはランプ７の初期状態の明るさを制御する初期照度補正ユニット２０と、断面形状がπ字状の反射板取付台座１５を介してランプ７の光を反射する反射板１６を備えている。
【００２３】
また、反射板取付台座１５には、ランプソケット８が取り付けられている。
【００２４】
反射板１６は、一方の灯具２ａと同様に取り付けられているので、説明を省略する。
【００２５】
ここで、ランプ７の初期状態とは、ランプ７の新品の状態の明るさをいう。また、ランプ７の新品の状態の明るさを１００％とし、ランプ７の寿命時の明るさを７０％とするとき、ランプ７の新品の状態からランプ７の寿命時までの明るさをほぼ一定の明るさとなるように、点灯装置１４からランプ７に供給する電力を制御することを初期照度補正という。
【００２６】
初期照度補正ユニット２０は、点灯装置１４と電気的信号線（図示しない）により接続され、ランプ７の点灯時間を計時するタイマ２１（図示しない）を有し、このタイマ２１が計時する時間に基づいて、ランプ７が新品の状態から寿命の状態になるまで、ランプ７の明るさがほぼ一定の明るさとなるように、点灯装置１４を制御する制御信号を出力している。
【００２７】
このタイマ２１は、ランプ７の点灯時間を累積して計時しており、ランプ７の交換時にタイマ２１をリセットするリセットスイッチ２２を押されることで、タイマ２１がリセットされる。
【００２８】
図７は、リセットスイッチが取り付けられている部分の部分拡大図である。
【００２９】
リセットスイッチ２２は、意匠面からほぼコの字状に折り曲げて形成されるリセットスイッチ取付台座２３に取り付けられている。
【００３０】
リセットスイッチ取付台座２３の折り曲げて形成される一方の面にリセットスイッチ２２が取り付けられ、他方の面に灯具２ｂにネジ止めされるネジ固定穴（図示しない）を有している。
【００３１】
このリセットスイッチ２２が取り付けられたリセットスイッチ取付台座２３は、灯具２ｂの長手方向端部からネジが挿入されて、リセットスイッチ取付台座２３のネジ固定穴にネジ締めされ、リセットスイッチ取付台座２３が、灯具２ｂの天面１１ｂ、側壁１２ｂ及び端部１３ｂとに沿う部分（灯具２ｂ内のコーナー部分）に固定されている。
【００３２】
なお、リセットスイッチ取付台座２３の取リ付け位置は、灯具２ｂのコーナー部分に限定されず、灯具２ｂの側壁１２ｂと反射板１６の隙間からリセットスイッチ２２の操作が可能な位置であれば、例えばリセットスイッチ取付台座２３をネジなどによって長手方向のほぼ中央の天面１１ｂに固定するなどとしてもよい。
【００３３】
また、ランプ７を固定するランプホルダ９側にリセットスイッチ取付台座２３を取り付けると、ランプ７の着脱時にリセットスイッチ２２を操作する際、ユーザーの手の移動が最短となる。
【００３４】
図８は、図１の照明器具のＡ−Ａ断面図であり、図９は、図８の他方の灯具の拡大断面図である。
【００３５】
灯具２ｂの側壁１２ｂと、反射板１６との隙間の第１の距離Ｗ１、反射板１６の短手方向端部を延長したときに灯具２ｂの側壁１２ｂにあたる位置と、リセットスイッチ取付台座１４の端部との第２の距離Ｗ２、反射板１６の短手方向端部を延長したときに灯具２ｂの側壁１２ｂにあたる位置と、ランプ７の側端部と反射板１２の端部とを結ぶ線を延長したときに灯具２ｂの側壁１２ｂにあたる部分との第３の距離Ｗ３とする。
【００３６】
このとき、第１の距離Ｗ１は外部から操作可能な約８ｍｍ〜２５ｍｍ程度であり、第２の距離Ｗ２と第３の距離Ｗ３の関係がＷ２≧Ｗ３となる位置にリセットスイッチ取付台座２３を配置させている。
【００３７】
なお、第２の距離Ｗ２が灯具２ｂの高さやリセットスイッチ取付台座２３の高さなどによって寸法が規制される場合は、第３の距離Ｗ３が、Ｗ２≧Ｗ３の関係を保つように、外部からリセットスイッチ２２を操作可能な範囲で第１の距離Ｗ１を設定する。
【００３８】
このように、ランプ７の側端部と反射板１６の短手方向端部とを結ぶ線を延長したときに側壁１２ｂにあたる部分よりも上方にリセットスイッチ２２を備えている。
【００３９】
つまり、ランプ７から出た光は反射板１６に反射され、反射板１６の影になるので、直接リセットスイッチ２２にあたることがない。
【００４０】
よって、通常の使用状態ではリセットスイッチ２２が目立つことがなく、意匠性がよい。
【００４１】
このように灯具２ｂの側壁１２ｂと反射板１６との間かつ反射板１６よりも上方にリセットスイッチ２２を設けているので、反射板１６によってランプ７の光が反射され、リセットスイッチ２２に直接ランプ７の光があたることがなく、リセットスイッチ２２を外部から操作可能な位置に配置しても意匠性に優れている。
【００４２】
また、灯具２ｂの側壁１２ｂと反射板１６との間にリセットスイッチ２２を設け、リセットスイッチ２２の取り付け位置を反射板１６より上部としているので、ランプ７や反射板１６を清掃する際にユーザーが誤ってリセットスイッチ２２を押す恐れが少なくなる。
【００４３】
また、灯具２ｂの側壁１２ｂと反射板１６との間にリセットスイッチ２２を設け、リセットスイッチ２２の押し方向を灯具２ｂの長手方向としているので、灯具２ｂの側壁１２ｂと反射板１６との間に棒などを挿入し、この棒などは灯具２ｂの側壁１２ｂと反射板１６によってガイドされ、リセットボタン２１を容易に押すことができる。
【００４４】
また、灯具２ｂの側壁と反射板１６との間にリセットスイッチ２２を設け、リセットスイッチ２２の押し方向を灯具２ｂの長手方向としているので、灯具２ｂの側壁１２ｂと反射板１６との間に長い棒などを挿入してリセットスイッチ２２を押すことができ、ランプ７を交換した後にユーザーが脚立に登ることなく初期照度補正ユニット２０のタイマ２１をリセットすることができる。
【００４５】
特に、ランプ７の交換時に照明器具１に供給している電源を遮断しているときは、ランプ７の交換作業と同時にリセットスイッチ２２を押しても、初期照度補正ユニット２０のタイマ２１がリセットされることがなく、ランプ７の交換後、照明器具１に電源を供給したとき、ユーザーが脚立に登ることなく灯具２ｂの側壁１２ｂと反射板１６との間に長い棒などを挿入してリセットスイッチ２２を押すことができる。
【００４６】
また、リセットスイッチ２２にランプ７からの光が直接あたることがないので、リセットスイッチ２２に紫外線に比較的弱い樹脂を用いて構成しても、ランプ７から照射される紫外線による樹脂劣化が起こり難い。
【００４７】
なお、本実施の形態において、反射板１６の形状をほぼ平面状に形成された照明器具１について説明したが、反射板１６の断面形状がほぼ半円形状としてもよいし、ほぼ台形形状としてもよい。
【００４８】
また、本実施の形態において、２つの灯具２ａ、２ｂを連結した照明器具１を説明したが、灯具２ｂが少なくとも１つ備える照明器具であれば、灯具２ｂのみの照明器具であってもよいし、２つ以上の灯具２ａと灯具２ｂを有する照明器具であってもよい。
【００４９】
また、本実施の形態において、リセットスイッチ２２を有して初期照度補正ユニット２０のタイマ２１をリセットする照明器具１について説明したが、このリセットスイッチ２２を他の機能を切り換えるスイッチ、例えば、ランプの明るさを少なくとも２段階以上のトグル動作で切り換える段調光切換スイッチなどとしてもよい。
【００５０】
実施の形態２．
本実施の形態は、実施の形態１の照明器具に空調ダクトを備えたものである。
【００５１】
本実施の形態において、実施の形態１と同じ部分については、同一符号を付し、説明を省略する。
【００５２】
図１０は、本実施の形態を示す照明器具の斜視図であり、図１１は、図１０の照明器具を上方より見たときの上面図であり、図１２は、図１０の照明器具のＡ−Ａ断面図である。
【００５３】
照明器具１のそれぞれの灯具２ａ、２ｂの天井側の天面１１ａ、１１ｂに空調ダクト用の空調ダクト孔２４を備えている。
【００５４】
一方の灯具２ａは、下面側が開口するように断面がコの字状となっており、天井側の天面１１ａと、コの字状に形成された短手方向の側壁１２ａと、長手方向の端部の端面１３ａからなっている。
【００５５】
この天井側の天面１１ａにはランプ７を点灯させる点灯装置１４と、断面形状がπ字状の反射板取付台座１５を介してランプ７の光を反射する反射板１６を備えている。
【００５６】
反射板１６は、ネジ１７が取付穴１８に挿入され、反射板取付台座１５の固定穴１９にネジ止めされる。
【００５７】
また、反射板取付台座１５には、ランプソケット８が取り付けられている。
【００５８】
他方の灯具２ｂは、下面側が開口するように断面がコの字状となっており、天井側の天面１１ｂと、コの字状に形成された短手方向の側壁１２ｂと、長手方向の端部の端面１３ｂからなっている。
【００５９】
この天井側の天面１１ｂにはランプ７の初期状態の明るさを制御する初期照度補正ユニット２０と、断面形状がπ字状の反射板取付台座１５を介してランプ７の光を反射する反射板１６を備えている。
【００６０】
また、反射板取付台座１５には、ランプソケット８が取り付けられている。
【００６１】
それぞれの反射板１６には、ランプ７と電気的に接触するとともにランプ７を保持するランプソケット８と、ランプ７を固定するランプホルダ９を備えている。
【００６２】
灯具２ａ、２ｂの側壁１２ａ、１２ｂとの間に空間を隔てて、灯具２ａ、２ｂ内に反射板１６が備えられており、空調ダクト孔２４を介して、空気の対流が天井裏に配設される空調と居室内との間で行われるようになっている。
【００６３】
この灯具２ｂの側壁１２ｂと、反射板１６との空間から操作可能なように、リセットスイッチ取付台座２３が、灯具２ｂの天面１１ｂ、側壁１２ｂ及び端部１３ｂとに沿う部分（灯具２ｂ内のコーナー部分）に固定されている。
【００６４】
灯具２ｂの側壁と、反射板１６との隙間の第１の距離Ｗ１、反射板１２の短手方向端部を延長したときに灯具２ｂの側壁１２ｂにあたる位置と、リセットスイッチ取付台座２３の端部との第２の距離Ｗ２、反射板１６の短手方向端部を延長したときに灯具２ｂの側壁に当たる位置と、ランプ７の側端部と反射板１６の端部とを結ぶ線を延長したときに灯具２ｂの側壁１２ｂにあたる部分との第３の距離Ｗ３とする。
【００６５】
このとき、第１の距離Ｗ１は外部から操作可能な約８ｍｍ〜２５ｍｍ程度であり、第２の距離Ｗ２と第３の距離Ｗ３の関係がＷ２≧Ｗ３となる位置にリセットスイッチ取付台座２３を配置させている。
【００６６】
なお、第２の距離Ｗ２が灯具２ｂの高さやリセットスイッチ取付台座２３の高さなどによって寸法が規制される場合は、第３の距離Ｗ３がＷ２≧Ｗ３の関係を保つように、第１の距離Ｗ１を外部から操作可能な範囲で設定する。
【００６７】
このように、ランプ７の側端部と反射板１６の端部とを結ぶ線を延長したときに側壁１２ｂにあたる部分よりも上方にリセットスイッチ２２を備えている。
【００６８】
つまり、ランプ７から出た光は反射板１６に反射され、反射板１６の影になるので、直接リセットスイッチ２２にあたることがない。
【００６９】
よって、通常の使用状態ではリセットスイッチ２２が目立つことがなく、意匠性がよい。
【００７０】
このように灯具２ｂの側壁と反射板１６との間かつ反射板１６よりも上方にリセットスイッチ２２を設けているので、反射板１６によってランプ７の光が反射され、リセットスイッチ２２に直接ランプの光があたることがなく、灯具２ｂの外部から操作可能な位置にリセットスイッチ２２を配置しても意匠性に優れている。
【００７１】
また、この灯具２ｂの側壁と、反射板１６との隙間から操作可能なようにリセットスイッチ２２を有するリセットスイッチ取付台座２３を配置しているので、この灯具２ｂの側壁と反射板１６との隙間を、リセットスイッチ２２の操作口及び空調ダクトの給排気口と兼用できる。
【００７２】
また、灯具２ｂと反射板１６との隙間を空調ダクトとしているので、点灯装置１４などの発熱部品の放熱を効率的に行うことができるとともに、リセットスイッチ２２の操作性がよい。
【００７３】
なお、本実施の形態において、反射板１６の形状をほぼ平面状に形成された照明器具１について説明したが、反射板１６の断面形状がほぼ半円形状としてもよいし、ほぼ台形形状としてもよい。
【００７４】
また、本実施の形態において、２つの灯具２ａ、２ｂを連結した照明器具１を説明したが、灯具２ｂが少なくとも１つ備える照明器具であれば、灯具２ｂのみの照明器具であってもよいし、２つ以上の灯具２ａと灯具２ｂを有する照明器具であってもよい。
【００７５】
また、本実施の形態において、リセットスイッチ２２を有して初期照度補正ユニット２０のタイマ２１をリセットする照明器具１について説明したが、このリセットスイッチ２２を他の機能を切り換えるスイッチ、例えば、ランプの明るさを少なくとも２段階以上のトグル動作で切り換える段調光切換スイッチなどとしてもよい。
【図面の簡単な説明】
【００７６】
【図１】実施の形態１における照明器具を示す斜視図。
【図２】実施の形態１における照明器具を示す下面図。
【図３】実施の形態１における照明器具を示す上面図。
【図４】実施の形態１における照明器具を示す側面図。
【図５】実施の形態１における照明器具を示す分解斜視図。
【図６】実施の形態１における照明器具を示す下面図。
【図７】実施の形態１における照明器具を示すリセットスイッチ部分の部分拡大図。
【図８】実施の形態１における照明器具を示す断面図。
【図９】実施の形態１における照明器具を示す断面拡大図。
【図１０】実施の形態２における照明器具を示す斜視図。
【図１１】実施の形態２における照明器具を示す上面図。
【図１２】実施の形態２における照明器具を示す断面図。
【符号の説明】
【００７７】
１  照明器具、２ａ、２ｂ  灯具、３  フレーム、４  電源端子台、５  天井部材、６  天井取付金具、７  ランプ、８  ランプソケット、９  ランプホルダ、１０  設備プレート、１１ａ、１１ｂ  天面、１２ａ、１２ｂ  側壁、１３ａ、１３ｂ  端面、１４  点灯装置、１５  反射板取付台座、１６  反射板、１７  ネジ、１８  取付穴、１９  固定穴、２０  初期照度補正ユニット、２１  タイマ、２２  リセットスイッチ、２３  リセットスイッチ取付台座、２４  空調ダクト孔。
【図１】
2008210562.tif 000003
【図２】
2008210562.tif 000004
【図３】
2008210562.tif 000005
【図４】
2008210562.tif 000006
【図５】
2008210562.tif 000007
【図６】
2008210562.tif 000008
【図７】
2008210562.tif 000009
【図８】
2008210562.tif 000010
【図９】
2008210562.tif 000011
【図１０】
2008210562.tif 000012
【図１１】
2008210562.tif 000013
【図１２】
2008210562.tif 000014